(57)【要約】【課題】  同じ光量が与えられたときの照度が相違する照光表示部を、照度の差が無いように照明できる操作装置を提供する。【解決手段】  操作体２０は、共に白色に着色された合成樹脂で形成された表側部材２１と裏側部材２２とが二色成型で一体化されて構成されている。第１の照光表示部２７は、被覆層２４の一部が除去されて白色の合成樹脂が現れ、第２の照光表示部２８では、白色の合成樹脂の表面の有彩色のインク層で形成された着色領域２３が現れる。裏側部材２２では、第１の光通過部２５がほぼ一定の肉厚で、第２の光通過部２６で開口部が形成されている。後方から与えられる光が、裏側部材２２を通過して表側部材２１に与えられて、第１の照光表示部２７と第２の照光表示部２７の照度の差が小さくなる。【選択図】図２
2014063680.tif 000002
【特許請求の範囲】
【請求項１】
操作体と、前記操作体によって動作させられる動作部とを有し、後方から前記操作体に照明光が与えられる操作装置において、
前記操作体は、前方に向けられる表側部材と、後方に向けられる裏側部材とを有しており、前記表側部材に第１の照光表示部と第２の照光表示部とが設けられ、後方から同じ光量の照明光が与えられたときの照度は、前記第１の照光表示部が前記第２の照光表示部よりも高く、
前記裏側部材には、前記第１の照光表示部に対向する第１の光通過部と前記第２の照光表示部に対向する第２の光通過部とが設けられており、後方から与えられる光の透過率は、第２の光通過部の方が第１の光通過部よりも高いことを特徴とする操作装置。
【請求項２】
前記表側部材と前記裏側部材とが、二色成型によって一体に形成されている請求項１記載の操作装置。
【請求項３】
前記表側部材と前記裏側部材は、別々に成型されたものが組み合わされている請求項１記載の操作装置。
【請求項４】
前記裏側部材は、着色された合成樹脂材料で形成されており、前記第２の光通過部は前記裏側部材を貫通する開口部である請求項１ないし３のいずれかに記載の操作装置。
【請求項５】
前記裏側部材は、着色された合成樹脂材料で形成されており、前記第２の光通過部は前記第１の光通過部よりも薄く形成されている請求項１ないし３のいずれかに記載の操作装置。
【請求項６】
前記裏側部材では、前記第１の光通過部の後方に向く面に光拡散部が設けられている請求項１ないし３のいずれかに記載の操作装置。
【請求項７】
前記表側部材と前記裏側部材の間に空気層が設けられており、前記裏側部材は、前記第１の光通過部が凸レンズとなるか、または第２の光通過部が凹レンズとなっている請求項３記載の操作装置。
【請求項８】
前記表側部材の前記第１の照光表示部は、非透明で無彩色の光通過部を有し、前記第２の照光表示部は、有彩色の光通過部を有している請求項１ないし７のいずれかに記載の操作装置。
【発明の詳細な説明】
【技術分野】
【０００１】
本発明は、車載用電子機器などの各種電子機器に使用される操作装置に係り、特に照光表示部を備えた操作装置に関する。
【背景技術】
【０００２】
車載用電子機器などの電子機器に使用される操作装置では、指で操作される操作体に照光表示部が設けられ、後方から与えられる照明光で照光表示部が照光させられる。
【０００３】
この種の操作装置に設けられた操作体は、例えば白色に着色された合成樹脂で形成され、その表面に光の透過を遮断する被覆層が形成され、被覆層の一部がレーザ光などで除去されて文字や記号または図形を表す照光表示部が形成されている。
【０００４】
操作体の複数個所に照光表示部が設けられている場合には、後方から与えられる照明光によって複数の照光表示部が同じ明るさ（照度・輝度）で照光されることが必要である。
【０００５】
しかし、同じ光量の照明光を与えたときに複数の照光表示部のそれぞれが異なる照度で照光されることがある。例えば一方の照光表示部が白色や灰色で、他方の照光表示部が緑色や赤色などの濃い色相の場合に、白色や灰色の照光表示部の方が明るく表示されやすい。また、照光表示部を形成する文字や記号または図形の大きさや線の太さが相違しているときも、同じ光が与えられたときの照度の差が生じることがある。
【０００６】
以下の特許文献１に記載された釦照光装置では、操作体の照光面の肉厚を部分的に変えることで、照光面の抜き文字を照光する光をほぼ均一な輝度としている。
【０００７】
また、以下の特許文献２に記載された電子機器の照明装置では、第１の部材とそれよりも光透過性の低い第２の部材とが組み合わされ、粘着剤を介して固定されている。第１の部材のみを透過した光によって照明される被照明部の照度と、第１の部材と第２の部材を透過した光によって照明される被照明部の照度とを均一化できるように設定されている。
【先行技術文献】
【特許文献】
【０００８】
【特許文献１】実開平６−２８９５０号公報
【特許文献２】特開２０１２−１８８０４号公報
【発明の概要】
【発明が解決しようとする課題】
【０００９】
照光表示部の照度の差を解消するための手法として、特許文献１に記載された構造を採用すると、操作体を厚肉にした部分で成型時のヒケなどに起因する歪みが発生しやすく、操作体の形状を精度よく形成するのが困難になる。
【００１０】
また、特許文献２に記載されているように、第１の部材よりも小さい形状の第２の部材を第１の部材に接合する構造では、第２の部材の位置決め作業が煩雑になる。また、第１の部材と第２の部材とが粘着剤を介して接合されているため、２つの部材の境界部での通過光の損失が大きくなる。
【００１１】
本発明は、上記従来の課題を解決するものであり、第１の照光表示部と第２の照光表示部の照度を均一化しやすく、しかも操作体の歪みが発生しにくく、さらに組立性にも優れた照光表示部を有する操作装置を提供することを目的としている。
【課題を解決するための手段】
【００１２】
本発明は、操作体と、前記操作体によって動作させられる動作部とを有し、後方から前記操作体に照明光が与えられる操作装置において、
前記操作体は、前方に向けられる表側部材と、後方に向けられる裏側部材とを有しており、前記表側部材に第１の照光表示部と第２の照光表示部とが設けられ、後方から同じ光量の照明光が与えられたときの照度は、前記第１の照光表示部が前記第２の照光表示部よりも高く、
前記裏側部材には、前記第１の照光表示部に対向する第１の光通過部と前記第２の照光表示部に対向する第２の光通過部とが設けられており、後方から与えられる光の透過率は、第２の光通過部の方が第１の光通過部よりも高いことを特徴とするものである。
【００１３】
例えば、前記表側部材と前記裏側部材とが、二色成型によって一体に形成されている。あるいは、前記表側部材と前記裏側部材は、別々に成型されたものが組み合わされている。
【００１４】
本発明の操作装置では、表側部材と裏側部材が二色成型で一体化され、または互いに位置決めされるなどして組み合わされて一体の操作体として使用されている。そのため、表側部材の第１の照光表示部と裏側部材の第１の光通過部との相互の位置決めと、第２の照光表示部と第２の光透過部との相互の位置決めを高精度に設定できる。後方から与えられる照明光は、第１の光通過部と第２の光通過部とで光の通過量に差が設けられ、その後に第１の照光表示部と第２の照光量表示部とに与えられるため、第１の照光表示部と第２の照光量表示部の照光時の照度の差を少なくすることが可能である。
【００１５】
なお、本発明では、同じ操作体に第１の照光表示部と第２の照光表示部のみならず、第３の照光表示部や第４の照光表示部が設けられて、同じ光量の光を与えたときのそれぞれの照光表示部の照度が相違し、またそれぞれの照光表示部に対向する光通過部の光通過量をそれぞれ相違させてもよい。
また、本明細書における「照度」は「輝度」と言い換えることが可能である。
【００１６】
本発明は、前記裏側部材は、着色された合成樹脂材料で形成されており、前記第２の光通過部は前記裏側部材を貫通する開口部である。または、前記裏側部材は、着色された合成樹脂材料で形成されており、前記第２の光通過部は前記第１の光通過部よりも薄く形成されている。
【００１７】
本発明は、前記裏側部材では、前記第１の光通過部の後方に向く面に光拡散部が設けられているものとすることができる。
【００１８】
あるいは、前記表側部材と前記裏側部材の間に空気層が設けられており、前記裏側部材は、前記第１の光通過部が凸レンズとなるか、または第２の光通過部が凹レンズとなっているものとして構成できる。あるいは、前記凸レンズと前記凹レンズの双方を備えてもよい。
【００１９】
本発明は、例えば、前記表側部材の前記第１の照光表示部は、非透明で無彩色の光通過部を有し、前記第２の照光表示部は、有彩色の光通過部を有している。
【発明の効果】
【００２０】
本発明の操作装置は、第１の照光表示部と第２の照光表示部の照度を均一化しやすく、しかも操作体の歪みが発生しにくく、さらに組立性にも優れたものとなる。
【図面の簡単な説明】
【００２１】
【図１】本発明の第１の実施の形態の操作装置の断面図、
【図２】図１に示す操作装置に設けられた操作体の拡大断面図、
【図３】（Ａ）（Ｂ）は、図１に示す操作装置に設けられた操作体の斜視図、
【図４】本発明の第２の実施の形態の操作装置に設けられた操作体の拡大断面図、
【図５】本発明の第３の実施の形態の操作装置の断面図、
【図６】本発明の第４の実施の形態の操作装置に設けられた操作体の拡大断面図、
【図７】本発明の第５の実施の形態の操作装置に設けられた操作体の格段断面図、
【発明を実施するための形態】
【００２２】
各図では、Ｘ１方向が前方であり、Ｘ２方向が後方である。図１に示す操作装置１は、車載用機器の化粧パネル２に埋設されて搭載される。化粧パネル２の奥側に支持基板３が設けられている。支持基板３は硬質のプリント配線基板である。
【００２３】
支持基板３の前方に内側ケース４と外側ケース５とが設けられている。内側ケース４と外側ケース５は、合成樹脂材料で円筒形状に形成されており、両ケース４，５は接着手段や凹凸嵌合構造によって互いに固定されている。また、内側ケース４が支持基板３の前面に固定されている。
【００２４】
内側ケース４の内側には、進退部材６と進退保持部材７が収納されている。進退部材６は、透明な合成樹脂材料によって円筒形状に形成されている。透明な合成樹脂材料はポリカーボネートであり、全光線透過率は８５〜９３％程度である。進退保持部材７は円筒形状であり、進退部材６の外周に配置され、進退部材６と進退保持部材７は、接着手段や凹凸嵌合構造によって互いに固定されている。
【００２５】
進退部材６と進退保持部材７は、互いに固定され一体化されて、前記内側ケース４の内部において前後方向（Ｘ１−Ｘ２方向）へ進退自在に支持されている。
【００２６】
内側ケース４の内周面には、ストッパ突起４ａが一体に形成され、進退保持部材７の外周面にはリング状に突出する摺動突起７ａが一体に形成されている。摺動突起７ａが内側ケース４の摺動内面４ｂを摺動することで、進退保持部材７が進退部材６と共に前後方向（Ｘ１−Ｘ２方向）へ摺動できる。図１に示すように、摺動突起７ａとストッパ突起４ａとが当たる位置が、進退部材６と進退保持部材７の前方（Ｘ１方向）への突出限界位置であり、進退部材６と進退保持部材７は、それ以上前方へ移動できない。
【００２７】
進退部材６の後端部６ａと支持基板３の前面３ａとの間に動作部１０が設けられている。動作部１０には、反発弾性部材１１が設けられている。反発弾性部材１１は、可動部１２と固定部１４ならびに可動部１２と固定部１４をつなぐ弾性変形部１３を有している。固定部１４が、支持基板３の前面３ａと挟持部材１６との間に挟まれて固定されている。可動部１２は進退部材６の後端部６ａに当接しており、弾性変形部１３の反発弾性力によって、進退部材６が前方（Ｘ１方向）へ付勢されている。
【００２８】
反発弾性部材１１には、可動部１２から後方へ突出する可動接点部１５が設けられている。反発弾性部材１１は、少なくとも可動接点部１５が導電性であり、支持基板３の前面３ａには、前記可動接点部１５に対向する対を成す固定接点部が設けられている。進退部材６が、図１の突出姿勢から後方（Ｘ２方向）へ向けて押されると、可動接点部１５が支持基板３の前面３ａに設けられた固定接点部に接触し、対を成す固定接点部どうしが導通して、動作部１０によって電気信号が切り換えられる。
【００２９】
なお、動作部１０は、図１に示す構造以外の接点開閉構造であってもよいし、または動作部１０が接点開閉構造ではなく、進退部材６によって機構が切り換えられる切り換え機構であってもよい。
【００３０】
進退部材６の前端部６ｂに、操作体２０が固定されている。操作体２０は、表側部材２１と裏側部材２２とを有している。図２には、表側部材２１と裏側部材２２とが拡大断面図で示されている。
【００３１】
表側部材２１と裏側部材２２はいわゆる二色成型法によって一体化されている。すなわち、例えば裏側部材２２が合成樹脂材料によって射出成型される。成型された裏側部材２２が金型の内部に設置されて、裏側部材２２の前面２２ａの前方にキャビティが形成され、このキャビティの内部に新たに溶融された合成樹脂材料が射出されて、裏側部材２２の前面２２ａに固着された表側部材２１が成型される。
【００３２】
表側部材２１と裏側部材２２は、共に半透明な合成樹脂材料で形成されている。半透明の合成樹脂材料は、完全な透明ではないが光を透過できるものであり、着色された合成樹脂材料で実現される。半透明の合成樹脂材料の全光線透過率は、例えば３０〜６０％程度である。半透明の着色された合成樹脂材料は、透明な合成樹脂材料に顔料や塗料または無機酸化物のフィラーなどが混入されたものである。この実施の形態では、表側部材２１と裏側部材２２の双方が、白色の顔料を含んだ白色に着色された合成樹脂材料で形成されている。
【００３３】
図２と図３に示すように、裏側部材２２は円板形状であり、その後面の２か所から後方に一対のロック片２２ｃが一体に形成されている。それぞれのロック片２２ｃにロック穴２２ｄが開口している。さらに、裏側部材２２には、位置決め突起２２ｅが後方に向けて一体に形成されている。
【００３４】
裏側部材２２は、第１の光通過部２５と第２の光通過部２６を有している。図２と図３に示すように、第２の光通過部２６は裏側部材２２を前後に貫通して形成された開口部である。開口部は、図３に示すような穴であってもよいし、穴の一部が欠損したものであってもよい。これに対し、第１の光通過部２５は、裏側部材２２を形成する合成樹脂材料でほぼ一定の肉厚で形成されている。
【００３５】
裏側部材２２に対して後方から光が与えられたとき、光の透過率は、第２の光通過部２６の方が第１の光通過部２５よりも高くなっている。
【００３６】
図１と図２に示すように、表側部材２１は裏側部材２２の前面２２ａならびに周側面２２ｂを覆っている。裏側部材２２の前面２２ａに密着している部分において、表側部材２１の肉厚はほぼ一定である。
【００３７】
図２と図３（Ａ）に示すように、表側部材２１の前面２１ａの一部分に、着色領域２３が設けられている。図２の断面図では、着色領域２３の厚みが誇張されて図示されている。この着色領域２３は、表側部材２１の前面２１ａの一部に有彩色の印刷を施すことで形成されている。この有彩色は赤、青、緑、黄色などであるが、この実施の形態では、着色領域２３が緑色のインクで形成されている。着色領域２３のインク層は、後方から与えられる光を通過できる厚さに形成されている。
【００３８】
図２に厚さを誇張して図示しているように、表側部材２１の前面２１ａと周側面２１ｂが被覆層２４で覆われている。前記着色領域２３も被覆層２４で覆われている。被覆層２４は、全光線透過率が、表側部材２１と裏側部材２２を形成している半透明で着色された合成樹脂材料よりも低く、さらに着色領域２３よりも低い層であり、全光線透過率は、例えば０〜２５％程度である。
【００３９】
被覆層２４は、黒色や濃緑色などの塗装層であり、例えば黒色の塗装層で形成されている。
【００４０】
図２と図３（Ａ）に示すように、表側部材２１の最表面に第１の照光表示部２７と第２の照光表示部２８が設けられている。第１の照光表示部２７は、着色領域２３から外れた場所で、被覆層２４を一部除去して、表側部材２１を形成している着色された樹脂層を露出させることで構成されている。第２の照光表示部２８は、着色領域２３の前方に位置する被覆層２４を一部除去し、着色領域２３の色相を露出させることで構成されている。
【００４１】
第１の照光表示部２７では、被覆層２４にレーザ光が与えられて、「ＶＯＬ」の文字の部分で被覆層２４が除去されている。第２の照光表示部２８では、被覆層２４にレーザ光が与えられて、記号を表す線の部分で被覆層２４が除去されている。
【００４２】
第１の照光表示部２７は、表側部材２１を形成している非透明で無彩色の白色の光通過部を有し、第２の照光表示部２８は、着色領域２３を形成する有彩色である緑色の光通過部を有している。そのため、第１の照光表示部２７と第２の照光表示部２８に対して後方から同じ光量の照明光が与えられたときの照度は、第１の照光表示部２７が第２の照光表示部２８よりも高い。
【００４３】
第１の照光表示部２７は、裏側部材２２に形成された第１の光通過部２５の前方に対向して位置しており、第２の照光表示部２８は、裏側部材２２に形成された第２の光通過部２６の前方に対向して位置している。
【００４４】
操作体２０は、二色成型工程を経ることで、表側部材２１と裏側部材２２とに区分されて成型されて、裏側部材２２に、第２の光通過部２６を形成する開口部が形成されているが、表側部材２１には極端な肉厚寸法の差が生じていない。よって、表側部材２１の前面２１ａにいわゆる成型時のヒケによる歪みが発生することがない。また、ロック片２２ｃと位置決め突起２２ｅが裏側部材２２と一体に形成されているため、ロック片２２ｃと位置決め突起２２ｅの前方において、表側部材２１に成型時のヒケによる歪みが発生することがない。
【００４５】
したがって、表側部材２１の前面２１ａは、滑らかな突曲面となり、前面２１ａに凹凸面が形成されず、外観が良好になる。
【００４６】
図１に示すように、操作体２０は、表側部材２１と裏側部材２２を保持する保持リング２９を有している。保持リング２９は、表側部材２１の周側部２１ｂよりも外周に位置し、表側部材２１と裏側部材２２の双方に固定されている。保持リング２９の前方に向く表面は着色されて、化粧面２９ａとなっている。保持リング２９の後方部分は円筒部２９ｂであり、この円筒部２９ｂは、裏側部材２２に形成されたロック片２２ｃに対向している。
【００４７】
操作体２０が、進退部材６と組み合わされるときは、進退部材６の前端部６ｂが、ロック片２２ｃと保持リング２９との隙間内に挿入され、前記前端部６ｂの内周面から一体に突出する係止突起６ｃ，６ｃが、ロック片２２ｃ，２２ｃのロック穴２２ｄ，２２ｄに嵌合する。これによって、進退部材６と操作体２０とが一体化される。
【００４８】
図１に示す操作装置１では、操作体２０の外周と、外側ケース５との間に回動操作体３１が設けられている。この回動操作体３１を回動させると、図示しないロータリエンコーダが動作し、回転操作信号を入力することができる。
【００４９】
次に、前記操作装置１の照光動作について説明する。
図１に示すように、支持基板３の前面３ａに発光部材３２が設けられている。発光部材３２は発光ダイオードなどで形成されている。発光部材３２からは白色光が発せられる。この光は、反発弾性部材１１の可動部１２に形成された穴１２ａの内部を通過し、透明な合成樹脂材料で形成されている進退部材６の中間壁６ｄを透過して、後方から操作体２０に与えられる。
【００５０】
発光部材３２から発せられる一部の光束Ｌ１は、操作体２０の裏側部材２２の第１の光通過部２５に与えられる。第１の光通過部２５には、裏側部材２２を構成する半透明の着色された合成樹脂材料が存在しているため、光束Ｌ１は、第１の光通過部２５を透過することで光量が減衰させられ、さらに表側部材２１を構成する半透明の着色された合成樹脂層を透過して、第１の照光表示部２７に与えられる。第１の照光表示部２７では、前記光束Ｌ１によって、図３（Ａ）に示す「ＶＯＬ」の文字が白色で表示される。
【００５１】
発光部材３２から発せられる他の一部の光束Ｌ２は、裏側部材２２の第２の光通過部２６を通過し、表側部材２１の第２の照光表示部２８に与えられる。第２の光通過部２６は開口部であるため、光束Ｌ２は直接に表側部材２１に与えられてこれを透過し、第２の照光表示部２８を照光する。第２の照光表示部２８では、図３に示す記号が着色領域２３の色相で照光される。この実施の形態では、第２の照光表示部２８が緑色に照光される。
【００５２】
第１の照光表示部２７と第２の照光表示部２８に対して後方から同じ光量の照明光が与えられたときの照度は、第１の照光表示部２７が第２の照光表示部２８よりも高い。しかしながら、裏側部材２２の光の透過率は、第２の光通過部２６の方が第１の光通過部２５よりも高いため、第１の照光表示部２７に与えられる光量よりも、第２の照光表示部２８に与えられる光量が多くなる。その結果、第１の照光表示部２７における白色の表示と、第２の照光表示部２８における緑色の表示を目視したときの、照度の差または輝度の差を小さくすることが可能になる。
【００５３】
しかも、表側部材２１がほぼ均一な肉厚で形成されているため、第１の照光表示部２７と第２の照光表示部２８を有する前面２１ａに成型時のヒケなどによる歪みが発生することがなく、外観が良好になる。
【００５４】
以下、本発明の他の実施の形態を説明する。それぞれの実施の形態と、図１ないし図３に示す第１の実施の形態とでは、同じ構造の部分に同じ符号を付して詳しい説明を省略する。
【００５５】
図４に示す第２の実施の形態の操作体１２０では、裏側部材１２２の構造が図２に示す裏側部材２２と相違している。
【００５６】
図４に示す操作体１２０は、表側部材２１と裏側部材１２２とが二色成型法によって一体化されている。裏側部材１２２は、半透明となるように着色された合成樹脂材料で形成されている。
【００５７】
裏側部材１２２の第１の光通過部１２５では、後方（Ｘ２方向）に向く面に光拡散部１２５ａが形成されている。光拡散部１２５ａは、裏側部材１２２の後面に細かな凹凸を形成することで構成されている。後方からの光束Ｌ１の一部が光拡散部１２５ａで拡散されて、裏側部材１２２への光の入射が抑制されるため、光束Ｌ１のうちの第１の光通過部１２５を通過する光量を制限することができる。
【００５８】
裏側部材１２２の第２の光通過部１２６は、前後に貫通しておらず、第１の光通過部１２５よりも薄肉に形成されている。第２の光通過部１２６の肉厚を変化させることで、第２の照光表示部２８に与えられる光量を調整することが可能になる。
【００５９】
図５に本発明の第３の実施の形態の操作装置２０１が示されている。
この操作装置２０１は、透明な合成樹脂材料で形成された進退部材２０６を有している。この進退部材２０６では、発光部材３２と、裏側部材２２の第１の光通過部２５とを結ぶ線上に部分中間壁２０７が形成されており、この部分中間壁２０７の後方（Ｘ２方向）に向く面に光拡散部２０７ａが形成されている。また発光部材３２と、第２の光通過部２６とを結ぶ線上では、部分中間壁２０７が存在しておらず開口部２０８が存在している。
【００６０】
図５に示す操作装置２０１では、発光部材３２から発せられた光束Ｌ１が、部分中間壁２０７の光拡散部２０７ａに拡散されて光量が低下してから第１の光通過部２５に与えられる。一方、発光部材３２から発せられた光束Ｌ２は、開口部２０８を通過して、何ら遮蔽されることなく第２の光通過部２６に与えられる。
【００６１】
裏側部材２２の後方に、光拡散部２０７ａと開口部２０８を形成することで、表側部材２１の第１の照光表示部２７に与えられる光量をさらに抑制することができ、第１の照光表示部２７での照度と第２の照光表示部２８での照度の差を小さくすることが可能になる。
【００６２】
図６に、本発明の第４の実施の形態の操作装置に設けられる操作体３２０が示されている。
【００６３】
この操作体３２０は、表側部材２１の後方に裏側部材３２２が設けられている。表側部材２１と裏側部材３２２は二色成型法で形成されておらず、それぞれが個別の部材として成型されている。表側部材２１は、半透明となるように白色などに着色された合成樹脂材料で成型されている。一方、裏側部材３２２は、進退部材６と同様に透明な合成樹脂材料で形成されている。
【００６４】
表側部材２１と裏側部材３２２は、凹凸嵌合により互いに位置決めされて固定されており、表側部材２１と裏側部材３２２との間に空間部３２３が形成されている。
【００６５】
裏側部材３２２には、第１の光通過部３２５と第２の光通過部３２６が形成されている。第１の光通過部３２５では、空間部３２３に向く面に凹レンズ３２５ａが形成され、後方（Ｘ２方向）に向く面に光拡散部３２５ｂが形成されている。一方、第２の光通過部３２６では、空間部３２３に向く面に凸レンズ３２６ａが形成されている。
【００６６】
第１の光通過部３２５に向かう光束Ｌ１は、光拡散部３２５ｂで拡散されて光量が低下するとともに、凹レンズ３２５ａで拡散される。よって、表側部材２１の第１の照光表示部２７に与えられる照明光の光量が低下する。一方、第２の光通過部３２６に向かう光束は、凸レンズ３２６ａで集光させられて第２の照光表示部２８に与えられる。
【００６７】
その結果、白色の第１の照光表示部２７と緑色の第２の照光表示部２８とで、照光表示のための照度の差を小さくすることができる。
【００６８】
図７に、第５の実施の形態の操作装置に設けられる操作体４２０が示されている。
この操作体４２０は、表側部材２１と裏側部材２２とが二色成型により一体に形成されている。表側部材２１と裏側部材２２の構造は、図１と図２に示す第１の実施の形態の操作体２０と同じである。
【００６９】
操作体４２０では、裏側部材２２の後方に、空間を空けて、図６に示した裏側部材３２２とほぼ同じ構造の第２の裏側部材４２２が配置されている。第２の裏側部材４２２には、第１の光通過部３２５と第２の光通過部３２６が設けられ、第１の光通過部３２５に、凹レンズ３２５ａと光拡散部３２５ｂが形成され、第２の光通過部３２６に凸レンズ３２６ａが形成されている。
【００７０】
図７に示す操作体４２０では、後方から与えられた照明光が、第２の裏側部材４２２に設けられた第１の光通過部３２５と第２の光通過部３２６、ならびに裏側部材２２の第１の光通過部２５と第２の光通過部２６によって、光量が調整されて、表側部材２１の第１の照光表示部２７と第２の照光表示部２８に与えられる。
【００７１】
なお、図１に示す実施の形態では、支持基板３に発光部材３２が設けられ、発光部材３２から発せられた照明光が操作体２０に与えられているが、操作体２０の後方に、透明な合成樹脂材料で形成された導光部材が設けられ、側方に設けられた発光部材から発せられた光が、導光部材の内部に導かれ、導光部材に設けられた光反射部やレンズによって操作体２０に向けられる構造であってもよい。
【００７２】
また、表側部材２１が透明な合成樹脂材料で形成され、その前面２１ａに白色などの第１の着色層が形成され、第１の着色層の表面に有彩色のインク層が積層されて着色領域２３が形成され、さらに前面の全域が被覆層２４で覆われる構造であってもよい。この場合、第１の照光表示部２７では、被覆層２４が一部除去されて第１の着色層が現れ、第２の照光表示部２８では、被覆層２４の一部が除去されて有彩色のインク層が現れる。
【符号の説明】
【００７３】
１  操作装置
３  支持基板
４  内側ケース
５  外側ケース
６  進退部材
７  進退保持部材
１０  動作部
１１  反発弾性部材
１５  可動接点部
２０  操作体
２１  表側部材
２２  裏側部材
２３  着色領域
２４  被覆層
２５  第１の光通過部
２６  第２の光通過部
２７  第１の照光表示部
２８  第２の照光表示部
３２  保持部材
１２０  操作体
１２２  裏側部材
１２５  第１の光通過部
１２５ａ  光拡散部
１２６  第２の光通過部
２０１  操作装置
２０６  進退部材
２０７ａ  光拡散部
３２０  操作体
３２２  裏側部材
３２５  第１の光通過部
３２５ａ  凹レンズ
３２５ｂ  光拡散部
３２６  第２の光通過部
３２６ａ  凸レンズ
４２０  操作体
４２２  第２の裏側部材
【図１】
2014063680.tif 000003
【図２】
2014063680.tif 000004
【図３】
2014063680.tif 000005
【図４】
2014063680.tif 000006
【図５】
2014063680.tif 000007
【図６】
2014063680.tif 000008
【図７】
2014063680.tif 000009